(57)【要約】【課題】文字、記号若しくは図形又はこれらの組み合わせによる表示が存在する表示部が外部から見やすく、且つ拡大鏡体が回転し易い筆記具を提供することにある。【解決手段】軸筒の外壁に、文字、記号若しくは図形又はこれらの組み合わせによる表示が存在する表示部を周設し、該表示部を覆うように配設した拡大鏡のレンズ部によって、前記表示部を選択的に拡大して視認可能とした筆記具であって、前記拡大鏡体に、軸筒の外壁面から軸心対して垂線方向に突出した凸部を形成し、該凸部に前記レンズ部を形成し、前記拡大鏡体を軸筒に対して円周方向に回転可能に配設するとともに、前記拡大鏡体の底部の内壁面に、前記表示部の個々の文字、記号若しくは図形又はこれらの組み合わせによる表示の軸心方向の長さよりも大きい凹部を設けたことを特徴とする。【選択図】図１
2008254371.tif 000002
【特許請求の範囲】
【請求項１】
軸筒の外壁に、文字、記号若しくは図形又はこれらの組み合わせによる表示が存在する表示部を周設し、該表示部を覆うように配設した拡大鏡のレンズ部によって、前記表示部を選択的に拡大して視認可能とした筆記具であって、前記拡大鏡体に、軸筒の外壁面から軸心対して垂線方向に突出した凸部を形成し、該凸部に前記レンズ部を形成し、前記拡大鏡体を軸筒に対して円周方向に回転可能に配設するとともに、前記拡大鏡体の底部の内壁面に、前記表示部の個々の文字、記号若しくは図形又はこれらの組み合わせによる表示の軸心方向の長さよりも大きい凹部を設けたことを特徴とする筆記具
【請求項２】
前記軸筒の把持部に、弾性体からなるグリップ部材を装着し、該グリップ部材の後端面に、グリップ部材又は拡大鏡体と同色、或いは透明の樹脂ワッシャーを介して、前記拡大鏡体を回転可能に装着したことを特徴とする請求項１に記載の筆記具
【請求項３】
前記拡大鏡体の凸部と反対側に錘部を設け、筆記具の重心が、常時、軸筒の軸心に対して拡大鏡体のレンズ部と反対側に位置することを特徴とする請求項１または２に記載の筆記具
【発明の詳細な説明】
【技術分野】
【０００１】
本発明は、軸筒の外壁に、文字、記号若しくは図形又はこれらの組み合わせによる表示が存在する表示部を周設し、前記軸筒に対して回転可能に装着した拡大鏡体に形成したレンズ部によって、前記表示部を拡大して視認可能とした筆記具に関する。
【背景技術】
【０００２】
従来から、軸筒の外壁に、文字、記号若しくは図形又はこれらの組み合わせによる表示を有する表示部を設け、軸筒等に形成した窓部から表示部を視認可能とした筆記具は知られている。
【０００３】
こうした筆記具は、特開平０８−７２４８２号公報「回転式表示器付筆記具及び筆記具用回転式表示器」や実公平０５−１８１５９号「ノック式筆記具」に開示されている。
【０００４】
また、文字、記号若しくは図形又はこれらの組み合わせによる表示が見やすくするために、拡大鏡体を付設した筆記具も特開２００５−７４８２６号公報「拡大鏡体機能を備えた筆記用具」に開示されている。
【特許文献１】「特開平０８−７２４８２号公報」
【特許文献２】「実公平０５−１８１５９号公報」
【特許文献３】「特開２００５−７４８２６号公報」
【発明の開示】
【発明が解決しようとする課題】
【０００５】
しかしながら、特許文献１、２は、文字、記号若しくは図形又はこれらの組み合わせによる表示が存在する表示部は外部から視認できるが、文字や記号を周上に複数個、表示する場合等、文字や記号が小さい場合には、見にくいという問題があった。
【０００６】
また、特許文献１に、特許文献３の拡大鏡体の技術を組み合わせることによって、軸筒の外壁に、文字、記号若しくは図形又はこれらの組み合わせによる表示が存在する表示部を見やすくすることはできるが、軸筒の複数個所に文字、記号若しくは図形又はこれらの組み合わせによる表示が存在する表示部を設けることができなかった。
【０００７】
また、特許文献２に、特許文献３の拡大鏡体の技術を組み合わせることによって、回転カムの外壁の複数個所に文字、記号若しくは図形又はこれらの組み合わせによる表示が存在する表示部を設けることができるが、文献３のように６０度間隔等、表示間に間隔を設ける必要があるため、所望する数、例えば、アルファベット２７文字等、数多く表示することができないという問題があった。
【０００８】
本発明はこうした問題に鑑み、文字、記号若しくは図形又はこれらの組み合わせによる表示が存在する表示部が外部から見やすく、且つ拡大鏡体が回転し易い筆記具を提供することにある。
【課題を解決するための手段】
【０００９】
本発明は、軸筒の外壁に、文字、記号若しくは図形又はこれらの組み合わせによる表示が存在する表示部を周設し、該表示部を覆うように配設した拡大鏡のレンズ部によって、前記表示部を選択的に拡大して視認可能とした筆記具であって、前記拡大鏡体に、軸筒の外壁面から軸心対して垂線方向に突出した凸部を形成し、該凸部に前記レンズ部を形成し、前記拡大鏡体を軸筒に対して円周方向に回転可能に配設するとともに、前記拡大鏡体の底部の内壁面に、前記表示部の個々の文字、記号若しくは図形又はこれらの組み合わせによる表示の軸心方向の長さよりも大きい凹部を設けたことを特徴とする。
【００１０】
前記軸筒の把持部に、弾性体からなるグリップ部材を装着し、該グリップ部材の後端面に、グリップ部材又は拡大鏡体と同色、或いは透明の樹脂ワッシャーを介して、前記拡大鏡体を回転可能に装着したことを特徴とする。
【００１１】
また、前記拡大鏡体の凸部と反対側に錘部を設け、筆記具の重心が、常時、軸筒の軸心に対して拡大鏡体のレンズ部と反対側に位置することを特徴とする。
【発明の効果】
【００１２】
本発明は、文字、記号若しくは図形又はこれらの組み合わせによる表示が存在する表示部が外部から見やすく、且つ拡大鏡体が回転し易い筆記具を提供することができた。
【発明を実施するための最良の形態】
【００１３】
次に図面を参照しながら、本発明の筆記具の実施例を説明するが、本発明は以下の実施例に限定されるものではない。
【００１４】
実施例１
図１から図５に示す実施例１の筆記具１は、前軸２と内部胴４を着脱自在に螺着し、内部胴４を被覆するように後軸３を装着して軸筒本体を構成し、前軸２の先端部に黄銅を切削加工することにより形成した口先部材５を着脱自在に螺着し、前軸２の把持部に、予めシリコーンゴムにて成形したグリップ部材５を配設してある。また、前軸２のグリップ部材５と後軸３間の外壁に、アルファベット記号を表示した表示部Ｍを周上に設け、この表示部Ｍを覆うように、拡大鏡体１５を回転可能に配設し、表示部Ｍを選択的に拡大して視認可能としてある。
【００１５】
また、内部胴４内にＰＯＭ樹脂で形成した回転カム１１からなる出没機構を具備している。この出没機構は、従来から知られているもので、簡単に説明すると、内部胴４の内壁面に回転カム１１を前後に摺動案内し回転させるためのカム溝（図示せず）を形成し、このカム溝に、回転カム１１に形成した突起を係合して配設してある。回転カム１１の後端には、回転カム１１を摺動し回転を付与するためのカム部を先端に有した押し棒１０を配設し、さらにその後端にノック体８を、後軸３及び内部胴４より外方に突出した状態に配設した構造である。また、ノック体８にはノック体カバー９を装着してある。
【００１６】
回転カム１１の前方には、筆記具用インキ（図示せず）を収容したインキ収容管１２の先端部に、ボールを回転自在に包持したボールペンチップ１３を装着したボールペンレフィルをコイルスプリング１４により後軸３後端方向へ付勢して、摺動自在に配設してあり、口先部材６を取り外すことで、ボールペンレフィルを交換可能としてある。
【００１７】
ノック式の筆記具１を使用するには、ノック体８を押圧して押し棒１０を押圧し、さらに回転カム１１をカム溝（図示せず）に沿って前進させ、押し棒１０のカム部の作用により回転カム１１を回転させて、ボールペンチップ１３を口先部材６の先端開口部６ａより突出させて使用することができる。さらにノック体８を押圧すると、押し棒１０のカム部の作用により回転カム１１を回転させ、コイルスプリング１４の付勢力によって回転カム１１をカム溝（図示せず）に沿って後退させ、ボールペンチップ１３を没入することができる。
【００１８】
拡大鏡体１５は、後軸３の先端面とグリップ部材５の後端面５ａとの間に配設するが、後軸３の先端面３ａ及びグリップ部材５の後端面５ａとの間に隙間ができると、見栄えも悪く、且つ不用意に拡大鏡体１５が回転してしまう問題があるため、後軸３の先端面３ａ及びグリップ部材５の後端面５ａに当接、好ましくは、グリップ部材５に圧接して配設する必要がある。しかし、後軸３の先端面３ａ及びグリップ部材５の後端面５ａに当接して配設すると、拡大鏡体１５を回転させるのに必要な回転抵抗が大きく、回転しにくくなる傾向となるので、拡大鏡体１５の底部の内壁面に凹部１５ｂを設け、前軸２との接触面積を軽減して、拡大鏡体１５を回転させる回転抵抗を小さくすることが重要である。
【００１９】
また、拡大鏡体１５の底部の内壁面に、表示部Ｍの個々の文字の軸心方向の長さより大きい凹部１５ａを形成するととによって、表示部Ｍを表示する前軸２に溝を形成していなくても拡大鏡体１５の回転時に、表示部Ｍと拡大鏡体１５の底部の内壁面が接触しないため、摩擦等によって表示部Ｍが薄れることがない。
【００２０】
更にまた、拡大鏡体１５は、軸心対して垂線方向に突出した凸部１５ａを形成し、この凸部１５ａに外壁面を円弧状としたＰＣ樹脂からなるレンズ部１６を形成し、レンズ部１６の頂面が、軸筒の軸心から最も離間して形成してある。レンズ部１６の底部の外壁面も前軸２と当接するため、表示部Ｍの個々の文字の軸心方向の長さより大きい凹部１６ａを形成し、回転抵抗の低減及び表示部Ｍとの接触を防止してある。
【００２１】
このように、拡大鏡体１５に、軸心対して垂線方向に突出した凸部１５ａを形成することによって、指等が当接しやすく、拡大鏡体１５を回転操作が容易になる。また、拡大鏡体１５を回転操作するときに、クリップ部材等の軸筒本体から外方に突出した部分を有すると回転操作し難く、クリップ部材を上向きにして筆記する時に、レンズ部１６の位置が周方向にずれることがあり、表示部Ｍが見にくいため、クリップ部材等、軸筒本体から外方に突出した部分を形成しないことが最も好ましい。そのため、凸部１５の頂部を、軸筒の軸心から最も離間して形成することによって、クリップ部材を付設してない筆記具であっても、机などから筆記具が転がり、落下するのを防止できるといった相乗効果を得られる。
【００２２】
また、拡大鏡体１５とグリップ部材５間に、ＰＥＴ樹脂等で形成した樹脂ワッシャー１７を介在させることで、グリップ部材５に直接、当接する場合に比べて回転抵抗を低減でき、回転操作しやすくなるので好ましい。尚、樹脂ワッシャー１７は、予め成形によって形成されるため、所望の色にすることが容易であって、グリップ部材５又は拡大鏡体１５と同色又は透明にすることによって、外観上はグリップ部材５と拡大鏡体１５が連接しているように見える。更にまた、樹脂ワッシャー１７の軸心方向の長さ（厚さ）を０．０１ｍｍ〜０．５ｍｍにすることよって、外部から視認し難くすることもできる。また、樹脂ワッシャー１７は軸心方向に沿って移動可能であるため、グリップ部材５及び拡大鏡体１５の寸法を厳密に設定しなくても、グリップ部材が圧縮によって、グリップ部材５と拡大鏡体１５に隙間を形成することがないので好ましい。
【００２３】
更にまた、拡大鏡体１５は、筆記具の全長の略中間部に装着するとともに、筆記具の重心を、拡大鏡体１５を配設した筆記具の全長の略中間部に位置に位置するようにしてある。
【００２４】
筆記具の重心を、拡大鏡体１５を配設した筆記具の全長の略中間部に位置することによって、筆記具を把持して筆記する時に、把持した指と、親指と人差し指の指間部間に重心が位置し、安定して筆記することができる。また、図示はしていないが、拡大鏡体１５の凸部１５ａと反対方向に金属等の錘部材を配設又は軸筒等の肉厚を変化させる等によって錘部を設け、筆記具の重心が常時、軸筒の軸心に対して、凸部１５ａと反対側に位置するようにすることによって、レンズ部１６が上面に位置しやすくすることができるので好ましい。
【００２５】
また、レンズ部１６は、円周方向において、表示部の個々の文字、例えば図に示すようにアルファベットのＡよりも大きく形成して、光を取り入れやすくしてあるが、前後の文字（Ｂ、Ｚ）が見えてしまうため、円周方向において、表示部の個々の文字、例えば図に示すようにアルファベットのＡと同等の大きさの光沢仕上げした透明部１６ｂと、梨字仕上げした半透明部１６ｂを形成し、前後の文字を見にくくすることが好ましい。
【００２６】
尚、本実施例では、便宜上、後軸内に内部胴を配設し、この内部胴にカム溝（図示せず）、回転カム等の出没機構を具備してあるが、後軸に直接、カム溝（図示せず）を形成し、回転カム等の出没機構を具備してもよいし、他の出没機構を具備してもよい。
【００２７】
また、実施例では、便宜上、レンズ部としてＰＣ樹脂を用いているが、アクリル樹脂等の樹脂材やガラス等、レンズとして用いている材料を適宜選択して用いることができる。
【００２８】
更にまた、拡大鏡体の底部の内壁面及び／レンズ部の底部の内壁面に形成する凹部の形状は、表示部の個々の文字、記号若しくは図形又はこれらの組み合わせによる表示の軸心方向の長さよりも大きい凹部であれば、段状や溝状等、特に限定されない。
【産業上の利用可能性】
【００２９】
本発明の筆記具は筆記体の種類やノック式、キャップ式に限定されることなく、筆記具として広く実施可能であり、所望の文字、記号若しくは図形又はこれらの組み合わせによる表示が存在する表示部を設けることができる。
【図面の簡単な説明】
【００３０】
【図１】本発明の筆記具の軸筒を示す、縦断面図である。
【図２】図１における一部省略した要部展開図である。
【図３】図１における一部省略した要部拡大断面図である。
【図４】図１における拡大鏡体の外観図である。
【図５】図１における一部省略したＡ−Ａ断面図である。
【符号の説明】
【００３１】
１  筆記具
２  前軸
３  後軸
４  内部胴
５  グリップ部材
５ａ  先端面
６  口先部材
７  滑り止め部材
８  ノック体
９  ノック体カバー
１０  押し棒
１１  回転カム
１２  インキ収容筒
１３  ボールペンチップ
１４  コイルスプリング
１５  拡大鏡
１５ａ  凸部
１５ｂ  凹部
１６  レンズ部
１６ａ  凹部
１６ｂ  透明部
１６ｃ  半透明部
【図１】
2008254371.tif 000003
【図２】
2008254371.tif 000004
【図３】
2008254371.tif 000005
【図４】
2008254371.tif 000006
【図５】
2008254371.tif 000007